(57)【特許請求の範囲】
【請求項１】
光ピックアップの光ディスク最内周もしくは最外周位置を検出する検出手段と、検出位置直前より前記光ピックアップと当接することにより変位する作動部材と、前記作動部材上に配置された連結ギヤを備え、前記検出手段の作動で前記光ピックアップの移動動作が停止すると同時に前記光ピックアップの移動動作に伴う前記作動部材の変位により、前記連結ギヤがターンテーブルに一体形成されたギヤ部と噛み合い位置になるように構成したことを特徴とする光ディスク駆動装置。
【請求項２】
連結ギヤとターンテーブルのギヤ部の噛み合いは光ピックアップのレーザ光位置が光ディスクのリードインエリアより内周もしくはリードアウトエリアより外周に到達した位置で行なわれるように検出手段の位置および作動部材の変位タイミングを設定したことを特徴とする請求項１記載の光ディスク駆動装置。
【請求項３】
検出手段の作動に伴い、ターンテーブルを回転駆動するスピンドルモータへの印加電圧を切換可能に構成したことを特徴とする請求項１または２記載の光ディスク駆動装置。
【発明の詳細な説明】
【０００１】
【発明の属する技術分野】
本発明は光ディスクのスピンドルモータの駆動力をローディング機構などの駆動力にも利用するようにした光ディスク駆動装置に関するものである。
【０００２】
【従来の技術】
光ディスク装置のトラバース機構は、光ディスクを所定の回転数で回転駆動するスピンドルモータと、光ピックアップを光ディスクの半径方向に移動させるフィードモータとにより構成されるものが一般的であり、これらのモータの駆動力をローディング機構などの駆動力として取り出す機構として、従来から、例えば特開平６−２７４９９３号公報に記載されたものが知られている。
【０００３】
【発明が解決しようとする課題】
しかしながら、上記特開平６−２７４９９３号公報に記載された従来の機構では、ローディングモータは廃止できるもののトラバース機構を載置した昇降ベースを駆動する昇降モータが別に必要であり、高コスト化や機構の複雑化による部品点数の増加とそれに伴う組立工数の増加といった問題点を有していた。
【０００４】
本発明はこのような課題を解決するもので、スピンドルモータを光ディスクの回転駆動以外に、例えば光ディスクローディング機構の駆動源として取り出せるように構成することにより、低コスト化、部品点数削減化、組立工数削減化を実現することを目的とするものである。
【０００５】
【課題を解決するための手段】
上記課題を解決するために本発明の光ディスク駆動装置は、光ピックアップがフィードモータの駆動で光ディスク最内周もしくは最外周位置へ移動した際、前記光ピックアップの位置を検出する検出手段によりフィードモータの駆動を停止すなわち光ピックアップの移動動作を停止させると同時に、検出位置直前で前記光ピックアップと当接し変位する作動部材上に配置された連結ギヤがターンテーブルに一体形成されたギヤ部と噛み合い位置になるように構成している。
【０００６】
また、前記連結ギヤと前記ターンテーブルのギヤ部との噛み合いは前記光ピックアップのレーザ光位置が光ディスクのリードインエリアより内周もしくはリードアウトエリアより外周に到達した位置で行なわれるように前記検出手段の位置および前記作動部材の変位タイミングを設定している。
【０００７】
また、前記光ピックアップによる前記検出手段の作動に伴い、前記ターンテーブルを回転駆動するスピンドルモータへの印加電圧の切換が可能なように構成している。
【０００８】
【発明の実施の形態】
本発明の請求項１に記載の光ディスク駆動装置は、光ピックアップの光ディスク最内周もしくは最外周位置を検出する検出手段と、検出位置直前より前記光ピックアップと当接することにより変位する作動部材と、前記作動部材上に配置された連結ギヤを備え、前記検出手段の作動で前記光ピックアップの移動動作が停止すると同時に前記光ピックアップの移動動作に伴う前記作動部材の変位により、前記連結ギヤがターンテーブルに一体形成されたギヤ部と噛み合い位置になるよう構成したことを特徴とするものであり、上記のような構成によって光ディスクを回転駆動するスピンドルモータの駆動力を前記ターンテーブルに一体形成されたギヤ部と前記連結ギヤの噛み合いにより取り出し、光ディスクの回転動作以外の目的で利用するという作用を有する。
【０００９】
また、本発明の請求項２に記載の光ディスク駆動装置は、連結ギヤとターンテーブルのギヤ部の噛み合いは光ピックアップのレーザ光位置が光ディスクのリードインエリアより内周もしくはリードアウトエリアより外周に到達した位置で行なわれるように検出手段の位置および作動部材の変位タイミングを設定したことを特徴とするものであり、上記のような構成によって通常の光ディスク読み取り動作や書き込み動作に影響を与えることがなく、動作信頼性の高い機構を実現するという作用を有する。
【００１０】
また、本発明の請求項３に記載の光ディスク駆動装置は、検出手段の作動に伴い、ターンテーブルを回転駆動するスピンドルモータへの印加電圧を切換可能に構成したことを特徴とするものであり、上記のような構成によってスピンドルモータの駆動力を光ディスクの回転動作以外の目的で利用する際に、利用目的に応じた駆動力に設定可能という作用を有する。
【００１１】
本発明の光ディスク駆動装置は以上のように構成した機構であって、前記スピンドルモータの駆動力を光ディスクの回転動作以外の目的で利用する機構を非常に少ない部品点数で構成することによって、低コスト化、組立工数削減化を実現するとともに動作信頼性が高く、実現容易な機構を提供することができる。
【００１２】
以下、本発明の実施の形態について、図面を参照しながら詳細に説明する。
（実施の形態）
図１〜図４は本発明の実施の形態における光ディスク駆動装置の通常動作を示す図であり、図１は光ピックアップが光ディスク内周リードインエリアに位置する状態を示す平面図、図２はその部分側面図、図３は光ピックアップが光ディスク外周リードアウトエリアに位置する状態を示す平面図、図４はその部分側面図である。
【００１３】
図１〜図４において、１はトラバースシャーシ、２は光ピックアップ、３は駆動シャフト、４は駆動ギヤ、５はスラストばね、６はナット板であり、前記駆動シャフト３は光ピックアップ２の軸受け部２ａ、２ｂを貫通し、一端３ａはトラバースシャーシ１上に形成された軸受け孔１ａに回転保持され、他端３ｂは前記駆動ギヤ４に圧入されて駆動ギヤ４を保持しており、駆動ギヤ４の軸部４ａがトラバースシャーシ１上の軸受け部１ｂに回転保持されている。また、前記光ピックアップ２はそのガイド部２ｃがトラバースシャーシ１上の副軸１ｃと係合し、矢印ＡＢ方向へ摺動可能である。また、スラストばね５はトラバースシャーシ１上の固定部１ｄに圧入保持され、駆動ギヤ４の先端部４ｂおよび軸部４ａと当接し、駆動ギヤ４を介して駆動シャフト３を矢印Ａ方向および矢印Ｄ方向へ押圧している。ナット板６は光ピックアップ２に固定され、突起部６ａが駆動シャフト３のウォーム部３ｃと係合している。７はトラバースモータ、８はモータギヤであり、トラバースモータ７はトラバースシャーシ１上に固定され、その回転軸７ａをモータギヤ８に圧入してモータギヤ８を保持している。モータギヤ８は駆動ギヤ４と噛合しており、トラバースモータ７の回転力を駆動シャフト３に伝達する。９はスピンドルモータ、１０はターンテーブルであり、スピンドルモータ９はトラバースシャーシ１上に固定され、その回転軸９ａを光ディスク１１を載置するターンテーブル１０に圧入してターンテーブル１０を保持している。
【００１４】
このような構成においてトラバースモータ７を時計方向もしくは反時計方向へ回転させるとその回転力が駆動ギヤ４、駆動シャフト３、ナット板６を介して光ピックアップ２に伝達され、光ピックアップ２は矢印Ａ方向もしくは矢印Ｂ方向、すなわち光ディスク１１のラジアル方向へ、図１〜図２に示す内周位置と図３〜図４に示す外周位置間を移動する。また、スピンドルモータ９を一定方向に回転させるとターンテーブル１０に載置された光ディスク１１も一体となって回転する。以上のようにして光ディスク１１の回転と光ピックアップ２の移動を行なう。なお、光ディスク１１をターンテーブル１０に載置してスピンドルモータ９を回転させた際、光ディスク１１とターンテーブル１０間でスリップが生じないよう保持するために図外のマグネットなどの吸着作用を利用してクランプしている。
【００１５】
ところで、１２は作動部材、１３はスプリング、１４は連結ギヤ、１５は中継ギヤである。前記作動部材１２はスピンドルモータ９の回転軸９ａを支軸としてスラスト方向すなわち矢印ＣＤ方向へ摺動自在であり、スプリング１３により常時矢印Ｄ方向へ付勢され、ストッパー部１２ａがトラバースシャーシ１上面に当接した状態で保持されている。また、作動部材１２の軸部１２ｂはトラバースシャーシ１のガイド孔１ｅに貫通し、スピンドルモータ９の回転軸９ａを中心とした作動部材１２の回転動作を防止している。また、作動部材１２は光ピックアップ２が光ディスク１１のリードインエリアより内周へ移動した際に光ピックアップ２の係合部２ｄと係合する傾斜部１２ｃを有している。連結ギヤ１４は作動部材１２上に形成された回転軸１２ｄに回転自在に保持されており、作動部材１２が矢印Ｃ方向へ移動した際にギヤ部１４ａがターンテーブル１０に一体形成されたギヤ部１０ａと噛合可能な位置関係にある。中継ギヤ１５はトラバースシャーシ１上に形成された回転軸１ｆに回転自在に保持されており、ギヤ部１５ａが常時連結ギヤ１４のギヤ部１４ｂと常時噛合している。
【００１６】
以上のように構成したトラバース機構において、以下スピンドルモータ９の駆動力を光ディスク１１の回転駆動以外の目的で取り出す機構について説明する。図５〜図７は本発明の実施の形態における光ディスク駆動装置のスピンドルモータ９の駆動力取り出し動作を示す図であり、図５は光ピックアップ２が光ディスクリードインエリアより内周へ移動中の状態を示す部分側面図、図６はターンテーブル１０のギヤ部１０ａと連結ギヤ１４の噛み合い状態を示す平面図、図７はその部分側面図である。
【００１７】
通常の光ディスク読み取り動作や書き込み動作が終了すると光ピックアップ２は内周リードインエリアへ移動し待機状態となる。この状態より例えばローディング用スイッチをオンすることによりトラバースモータ７を駆動し、光ピックアップ２を光ディスク１１のリードインエリアよりさらに内周方向へ移動させるように構成されている。光ピックアップ２が内周方向へ移動すると図５に示すように光ピックアップ２の係合部２ｄが作動部材１２の傾斜部１２ｃと当接し、押圧するため作動部材１２はスピンドルモータ９の回転軸９ａを支軸としてスプリング１３の付勢力に反して矢印Ｃ方向へ移動を開始する。さらに光ピックアップ２が内周方向へ移動すると、光ピックアップ２の当接部２ｅがトラバースシャーシ１上に固定された検出スイッチ１６と係合し、検出スイッチ１６が開から閉状態へとなる変化を検知し、トラバースモータ７への電圧供給を停止させる。すなわち光ピックアップ２の移動動作を停止させる。この際、作動部材１２は図６〜図７に示すように連結ギヤ１４のギヤ部１４ａがターンテーブル１０のギヤ部１０ａと噛み合い状態になる位置にまで移動している。この状態でスピンドルモータ９を駆動すれば、その駆動力がターンテーブル１０、連結ギヤ１４、この連結ギヤ１４の位置に関係なく常時連結ギヤ１４と噛み合う中継ギヤ１５へ伝達される。この中継ギヤ１５のギヤ部１５ｂと連結するラック１７をトラバースシャーシ１上に配置することで、スピンドルモータ９の時計方向への回転力を矢印Ｅ方向へ、反時計方向への回転力を矢印Ｆ方向への直線運動へ変換することができる。ここでラック１７を光ディスク１１を載置するトレイ（図示せず）と連結させることにより、光ディスク１１の排出位置と演奏位置間の往復動作を行なわせることができる。以上の一連の動作は光ピックアップ２の位置が前述したように光ディスク１１のリードインエリアより内周において行なわれる動作であるため、通常の光ディスク読み取り動作や書き込み動作に何ら影響を与えることはない。また、検出スイッチ１６の作動に連動してスピンドルモータ９の印加電圧を切り換えることにより、ローディング動作に必要な駆動力を最適値に設定することができる。
【００１８】
【発明の効果】
本発明の光ディスク駆動装置は以上のように構成した機構であって、スピンドルモータの駆動力を光ディスクの回転動作以外の目的で利用する機構を非常に少ない部品点数で構成することによって、低コスト化、組立工数削減化を実現するとともに動作信頼性が高く、実現容易な機構を提供することができる。
【図面の簡単な説明】
【図１】本発明の実施の形態において光ピックアップが光ディスク内周リードインエリアに位置する状態を示す平面図である。
【図２】同光ピックアップが光ディスク内周リードインエリアに位置する状態を示す部分側面図である。
【図３】同光ピックアップが光ディスク外周リードアウトエリアに位置する状態を示す平面図である。
【図４】同光ピックアップが光ディスク外周リードアウトエリアに位置する状態を示す部分側面図である。
【図５】同光ピックアップが光ディスクリードインエリアより内周へ移動中の状態を示す部分側面図である。
【図６】同ターンテーブルのギヤ部と連結ギヤの噛み合い状態を示す平面図である。
【図７】同ターンテーブルのギヤ部と連結ギヤの噛み合い状態を示す部分側面図である。
【符号の説明】
２            光ピックアップ
２ｅ          当接部
９            スピンドルモータ
１０            ターンテーブル
１０ａ          ギヤ部
１１            光ディスク
１２            作動部材
１４            連結ギヤ
１６            検出スイッチ
【図１】
0003781540.tif 000002
【図２】
0003781540.tif 000003
【図３】
0003781540.tif 000004
【図４】
0003781540.tif 000005
【図５】
0003781540.tif 000006
【図６】
0003781540.tif 000007
【図７】
0003781540.tif 000008